(57)【要約】【課題】省エネルギーおよびコスト削減を実現する。【解決手段】風量制御システムは、部屋１００内に設置されたヒュームフード１０１−１，１０１−２と、局所排気バルブＥＸＶ１，ＥＸＶ２と、給気バルブＭＡＶを備える。風量制御システムのコントローラは、局所排気風量を局所排気バルブＥＸＶ１，ＥＸＶ２で調節する局所排気風量制御部と、予め設定された最小値以上の風量を常に吹き出すという条件の下で、部屋１００へ吹き出す給気の風量と局所排気風量の総和との差が所定の設定値に一致するように、給気風量を給気バルブＭＡＶで調節する給気風量制御部と、給気風量と局所排気風量の総和との差が設定値と一致せず、排気風量が不足しているときに、排気風量の不足分を局所排気バルブＥＸＶ１，ＥＸＶ２に按分して局所排気風量を増加させる排気風量補償部とを備える。【選択図】  図１
2015124924.tif 000002
【特許請求の範囲】
【請求項１】
対象施設に設置された複数の局所排気装置と、
この複数の局所排気装置の排気風量をそれぞれ対応する局所排気バルブで調節する複数の局所排気風量制御手段と、
予め設定された最小値以上の風量を常に吹き出すという条件の下で、前記対象施設へ吹き出す給気の風量と複数の前記局所排気バルブによって調節される局所排気風量の総和との差が所定の設定値に一致するように、給気風量を給気バルブで調節する給気風量制御手段と、
前記給気風量と前記局所排気風量の総和との差が所定の設定値と一致せず、排気風量が不足しているときに、この排気風量の不足分を前記複数の局所排気バルブに按分して前記局所排気風量を増加させる排気風量補償手段とを備えることを特徴とする風量制御システム。
【請求項２】
請求項１記載の風量制御システムにおいて、
さらに、前記局所排気装置のサッシ面の面風速の最大値を予め記憶する面風速最大値記憶手段を備え、
前記排気風量補償手段は、局所排気バルブ毎の局所排気風量に前記按分による当該局所排気バルブへの割当量を加えた合計の局所排気風量が、前記面風速の最大値によって決まる局所排気風量最大値以下となるように前記合計の局所排気風量を局所排気バルブ毎に制限することを特徴とする風量制御システム。
【請求項３】
請求項１または２記載の風量制御システムにおいて、
前記排気風量補償手段は、前記排気風量の不足分を前記複数の局所排気バルブに等分に按分することを特徴とする風量制御システム。
【請求項４】
請求項１または２記載の風量制御システムにおいて、
前記排気風量補償手段は、前記排気風量の不足分を、前記複数の局所排気風量制御手段が決定した局所排気風量の割合に応じて前記複数の局所排気バルブに按分することを特徴とする風量制御システム。
【請求項５】
対象施設に設置された複数の局所排気装置の排気風量をそれぞれ対応する局所排気バルブで調節する局所排気風量制御ステップと、
予め設定された最小値以上の風量を常に吹き出すという条件の下で、前記対象施設へ吹き出す給気の風量と複数の前記局所排気バルブによって調節される局所排気風量の総和との差が所定の設定値に一致するように、給気風量を給気バルブで調節する給気風量制御ステップと、
前記給気風量と前記局所排気風量の総和との差が所定の設定値と一致せず、排気風量が不足しているときに、この排気風量の不足分を前記複数の局所排気バルブに按分して前記局所排気風量を増加させる排気風量補償ステップとを含むことを特徴とする風量制御方法。
【請求項６】
請求項５記載の風量制御方法において、
前記排気風量補償ステップは、局所排気バルブ毎の局所排気風量に前記按分による当該局所排気バルブへの割当量を加えた合計の局所排気風量が、前記局所排気装置のサッシ面の面風速の所定の最大値によって決まる局所排気風量最大値以下となるように前記合計の局所排気風量を局所排気バルブ毎に制限するステップを含むことを特徴とする風量制御方法。
【請求項７】
請求項５または６記載の風量制御方法において、
前記排気風量補償ステップは、前記排気風量の不足分を前記複数の局所排気バルブに等分に按分することを特徴とする風量制御方法。
【請求項８】
請求項５または６記載の風量制御方法において、
前記排気風量補償ステップは、前記排気風量の不足分を前記局所排気風量制御ステップで局所排気バルブ毎に決定した局所排気風量の割合に応じて前記複数の局所排気バルブに按分することを特徴とする風量制御方法。
【発明の詳細な説明】
【技術分野】
【０００１】
本発明は、対象施設への給気風量や排気風量の制御により風量バランスを維持する風量制御システムに係り、特に対象施設にヒュームフード等の局所排気装置を備え、局所排気装置から排気を行う風量制御システムに関するものである。
【背景技術】
【０００２】
従来、化学実験では、実験作業過程において、人体に有害なガスや粉塵等が発生する場合が多い。これら有害物質の室内への拡散を防止し、人体への汚染を防ぐ装置の１つにヒュームフードがある。一般に、ヒュームフードは、上下または左右に開閉可能なサッシドア付きの囲い（エンクロ−ジャ）を備えており、実験室の作業者はこのサッシドアからエンクロ−ジャ内にアクセスすることができる。ヒュームフードで作業中の作業者が有害なガスや粉塵等に曝されないようにするために、エンクロージャは有害物質を除去する排気装置に接続されている。
【０００３】
風量制御システムは、ヒュームフード内で有害物質を扱う実験をする場合に、有害物質が部屋内に逆流しないように、サッシ面の面風速を所定の速度にするよう局所排気ダクトの風量を調整するシステムである（特許文献１、非特許文献１参照）。図４は従来の風量制御システムの構成を示す図である。風量制御システムは、部屋１００内に設置されたヒュームフード１０１−１，１０１−２と、ヒュームフード１０１−１，１０１−２に接続された局所排気ダクト１０２−１，１０２−２と、部屋１００に給気を供給する給気ダクト１０３と、部屋１００の空気を排気する一般排気ダクト１０４と、局所排気ダクト１０２−１，１０２−２の風量を調整する局所排気バルブＥＸＶ１，ＥＸＶ２と、給気ダクト１０３の風量を調整する給気バルブＭＡＶと、一般排気ダクト１０４の風量を調整する一般排気バルブＧＥＸと、局所排気バルブＥＸＶ１，ＥＸＶ２を制御するコントローラ１０５−１，１０５−２と、給気バルブＭＡＶを制御するコントローラ１０６と、一般排気バルブＧＥＸを制御するコントローラ１０７と、各コントローラ１０５−１，１０５−２，１０６，１０７を互いに接続する通信線１０８とから構成される。
【０００４】
ヒュームフード１０１−１，１０１−２は、サッシ１１１−１，１１１−２と、検知範囲に人がいるかどうかを検出する人検知センサ１１２−１，１１２−２と、ヒュームフード１０１−１，１０１−２を使用する作業者に情報を通知するためのヒュームフードモニタ１１３−１，１１３−２と、サッシ１１１−１，１１１−２の開度を検出するサッシセンサ１１４−１，１１４−２とを備えている。
図４のような風量制御システムでは、各バルブＥＸＶ１，ＥＸＶ２，ＭＡＶ，ＧＥＸの風量は、ヒュームフード１０１−１，１０１−２のサッシ開度に応じて表１のように連動して切り替わる。
【０００５】
【表１】
2015124924.tif 000003
【０００６】
表１の各バルブＥＸＶ１，ＥＸＶ２，ＭＡＶ，ＧＥＸの風量の単位はｍ3／ｈである。表１のように、給気ダクト１０３の給気風量と一般排気ダクト１０４の排気風量と局所排気ダクト１０２−１，１０２−２の局所排気風量とが、「給気風量＝一般排気風量＋局所排気風量＋オフセット風量」の関係を満たすように、給気バルブＭＡＶと一般排気バルブＧＥＸと局所排気バルブＥＸＶ１，ＥＸＶ２の開度の制御、すなわち風量バランス制御が行われる。なお、表１では、説明を容易にするためにオフセット風量を０ｍ3／ｈとしている。
【０００７】
２台のヒュームフード１０１−１，１０１−２のサッシ１１１−１，１１１−２が共に閉まっているときの給気風量が１０００ｍ3／ｈとなっているのは、最小換気量を維持するためである。したがって、給気風量を１０００ｍ3／ｈ以下にすることができないため、一般排気バルブＧＥＸを設置し、一般排気風量を増やすことで室内の風量バランスを維持する必要がある。
【先行技術文献】
【特許文献】
【０００８】
【特許文献１】特開２００４−６９１２２号公報
【非特許文献】
【０００９】
【非特許文献１】“風量制御用コントローラ付ベンチュリーバルブ”，［online］，アズビル株式会社，インターネット＜http://www.azbil.com/jp/product/ba/doc/specsheet/AS-928-R1.4.pdf＞
【発明の概要】
【発明が解決しようとする課題】
【００１０】
図４に示した風量制御システムのように一般排気バルブを設置した場合、以下のような問題点があった。
（Ａ）一般排気バルブの最小風量分（表１では１００ｍ3／ｈ）を排気する必要があるので、２台のヒュームフードのサッシが共に開いている場合には室内の風量バランスを維持するために、給気風量を２１００ｍ3／ｈに増やす必要があり、省エネルギーを達成することができない。
（Ｂ）一般排気バルブの設置に伴うコストアップが発生する。
【００１１】
本発明は、上記課題を解決するためになされたもので、省エネルギーおよびコスト削減を実現することができる風量制御システムおよび風量制御方法を提供することを目的とする。
【課題を解決するための手段】
【００１２】
本発明の風量制御システムは、対象施設に設置された複数の局所排気装置と、この複数の局所排気装置の排気風量をそれぞれ対応する局所排気バルブで調節する複数の局所排気風量制御手段と、予め設定された最小値以上の風量を常に吹き出すという条件の下で、前記対象施設へ吹き出す給気の風量と複数の前記局所排気バルブによって調節される局所排気風量の総和との差が所定の設定値に一致するように、給気風量を給気バルブで調節する給気風量制御手段と、前記給気風量と前記局所排気風量の総和との差が所定の設定値と一致せず、排気風量が不足しているときに、この排気風量の不足分を前記複数の局所排気バルブに按分して前記局所排気風量を増加させる排気風量補償手段とを備えることを特徴とするものである。
【００１３】
また、本発明の風量制御システムの１構成例は、さらに、前記局所排気装置のサッシ面の面風速の最大値を予め記憶する面風速最大値記憶手段を備え、前記排気風量補償手段は、局所排気バルブ毎の局所排気風量に前記按分による当該局所排気バルブへの割当量を加えた合計の局所排気風量が、前記面風速の最大値によって決まる局所排気風量最大値以下となるように前記合計の局所排気風量を局所排気バルブ毎に制限することを特徴とするものである。
また、本発明の風量制御システムの１構成例において、前記排気風量補償手段は、前記排気風量の不足分を前記複数の局所排気バルブに等分に按分することを特徴とするものである。
また、本発明の風量制御システムの１構成例において、前記排気風量補償手段は、前記排気風量の不足分を、前記複数の局所排気風量制御手段が決定した局所排気風量の割合に応じて前記複数の局所排気バルブに按分することを特徴とするものである。
【００１４】
また、本発明の風量制御方法は、対象施設に設置された複数の局所排気装置の排気風量をそれぞれ対応する局所排気バルブで調節する局所排気風量制御ステップと、予め設定された最小値以上の風量を常に吹き出すという条件の下で、前記対象施設へ吹き出す給気の風量と複数の前記局所排気バルブによって調節される局所排気風量の総和との差が所定の設定値に一致するように、給気風量を給気バルブで調節する給気風量制御ステップと、前記給気風量と前記局所排気風量の総和との差が所定の設定値と一致せず、排気風量が不足しているときに、この排気風量の不足分を前記複数の局所排気バルブに按分して前記局所排気風量を増加させる排気風量補償ステップとを含むことを特徴とするものである。
【発明の効果】
【００１５】
本発明によれば、一般排気バルブをなくし、一般排気バルブをなくしたことによる排気風量の不足分を複数の局所排気バルブに按分するようにしたので、局所排気装置のサッシが開いているときの給気風量を抑えることができ、省エネルギーを実現することができる。また、本発明では、一般排気バルブおよび一般排気バルブのコントローラの設置コストを削減することができる。
【００１６】
また、本発明では、局所排気バルブ毎の局所排気風量に当該局所排気バルブへの割当量を加えた合計の局所排気風量が、局所排気装置のサッシ面の面風速の最大値によって決まる局所排気風量最大値以下となるように合計の局所排気風量を制限することにより、局所排気装置のサッシ面の面風速が過剰に大きくなり過ぎないようにすることができ、安全面でも貢献することができる。
【図面の簡単な説明】
【００１７】
【図１】本発明の実施の形態に係る風量制御システムの構成を示す図である。
【図２】本発明の実施の形態に係る風量制御システムのコントローラの構成を示すブロック図である。
【図３】本発明の実施の形態に係る風量制御システムの動作を示すフローチャートである。
【図４】従来の風量制御システムの構成を示す図である。
【発明を実施するための形態】
【００１８】
以下、本発明の実施の形態について図面を参照して説明する。図１は本発明の実施の形態に係る風量制御システムの構成を示す図であり、図４と同様の構成には同一の符号を付してある。本実施の形態の風量制御システムは、部屋１００内に設置されたヒュームフード１０１−１，１０１−２と、局所排気ダクト１０２−１，１０２−２と、給気ダクト１０３と、局所排気バルブＥＸＶ１，ＥＸＶ２と、給気バルブＭＡＶとから構成される。本実施の形態の風量制御システムと従来との最も大きな違いは、一般排気バルブを設けないことである。
【００１９】
図２は局所排気バルブＥＸＶ１，ＥＸＶ２および給気バルブＭＡＶを制御する本実施の形態のコントローラの構成を示すブロック図である。コントローラ１は、局所排気バルブＥＸＶ１，ＥＸＶ２毎に設けられた局所排気風量制御部２−１，２−２と、給気バルブＭＡＶを制御する給気風量制御部３と、給気風量と局所排気風量の総和との差が所定の設定値と一致せず、排気風量が不足しているときに、この排気風量の不足分を局所排気バルブＥＸＶ１，ＥＸＶ２に按分して局所排気風量を増加させる排気風量補償部４と、局所排気装置であるヒュームフード１０１−１，１０１−２毎に設けられ、サッシ１１１−１，１１１−２の開度情報を取得するサッシ開度情報取得部５−１，５−２と、対象施設である部屋１００の最小換気風量を満たすための給気風量の最小値を予め記憶する給気風量最小値記憶部６と、ヒュームフード１０１−１，１０１−２のサッシ面の面風速の最大値を予め記憶する面風速最大値記憶部７とを備えている。
【００２０】
次に、本実施の形態の風量制御システムの風量バランス制御動作について説明する。図３は本実施の形態の風量制御システムの動作を示すフローチャートである。
サッシ開度情報取得部５−１，５−２は、それぞれ対応するヒュームフード１０１−１，１０１−２のサッシセンサ１１４−１，１１４−２からサッシ１１１−１，１１１−２の開度情報を取得する（図３ステップＳ１）。
【００２１】
局所排気風量制御部２−１は、ヒュームフード１０１−１のサッシ開口面積に基づいて、サッシ面の面風速が規定値（通常０．５ｍ／ｓ）となるように局所排気風量Ｖｅｘｖ１を定め、局所排気ダクト１０２−１の排気風量がＶｅｘｖ１となるように局所排気バルブＥＸＶ１の開度を制御する（図３ステップＳ２）。同様に、局所排気風量制御部２−２は、ヒュームフード１０１−２のサッシ開口面積に基づいて、サッシ面の面風速が上記規定値となるように局所排気風量Ｖｅｘｖ２を定め、局所排気ダクト１０２−２の排気風量がＶｅｘｖ２となるように局所排気バルブＥＸＶ２の開度を制御する（図３ステップＳ２）。なお、ヒュームフード１０１−１，１０１−２のサッシ開口面積は、サッシ開度情報取得部５−１，５−２が取得したサッシ開度情報から求めることができるサッシ１１１−１，１１１−２の開口部高さと、既知のサッシ幅との乗算により決定することができる。
【００２２】
給気風量制御部３は、給気ダクト１０３の給気風量Ｖｍａｖと局所排気風量（Ｖｅｘｖ１＋Ｖｅｘｖ２）との差が所定の設定値αに一致するように、すなわち次式に示す室内１００の風量バランスが維持されるように給気風量Ｖｍａｖを決定し、給気ダクト１０３の風量がＶｍａｖとなるように給気バルブＭＡＶの開度を制御する（図３ステップＳ３）。
Ｖｍａｖ＝Ｖｅｘｖ１＋Ｖｅｘｖ２＋α                            ・・・（１）
【００２３】
式（１）における設定値αは、部屋１００から漏れていく風量を決定すると共に、部屋１００を正圧にするか負圧にするかを決定するためのオフセット風量である。ただし、給気風量制御部３は、部屋１００の最小換気風量を満たすため、給気風量最小値記憶部６に予め記憶された給気風量最小値以上の風量を常に吹き出すように給気風量Ｖｍａｖを決定することを、式（１）の風量バランス制御よりも優先する。
【００２４】
次に、排気風量補償部４は、排気風量が不足しているかどうかを判定する（図３ステップＳ４）。上記のとおり式（１）に示すような風量バランス制御が行われるが、給気風量Ｖｍａｖは常に給気風量最小値以上の値になるように定められているので、例えば２台のヒュームフード１０１−１，１０１−２のサッシ１１１−１，１１１−２が共に閉まって局所排気風量Ｖｅｘｖ１，Ｖｅｘｖ２が低下したときに、局所排気風量が不足し、給気風量と排気風量の風量バランスを維持できなくなることがある。
【００２５】
例えば表１の例では、２台のヒュームフード１０１−１，１０１−２のサッシ１１１−１，１１１−２が共に閉まっているとき、局所排気風量Ｖｅｘｖ１，Ｖｅｘｖ２は共に３００ｍ3／ｈで、給気風量最小値は１０００ｍ3／ｈである。本実施の形態では、一般排気バルブがないため、オフセット風量αを０ｍ3／ｈとすると、排気風量が４００ｍ3／ｈ不足することになる。
【００２６】
排気風量補償部４は、給気風量Ｖｍａｖと局所排気風量の総和（Ｖｅｘｖ１＋Ｖｅｘｖ２）との差が設定値αと一致せず、排気風量が不足していると判定した場合（ステップＳ４においてＹＥＳ）、この排気風量の不足分を２台の局所排気バルブＥＸＶ１，ＥＸＶ２に按分し、この按分により局所排気バルブＥＸＶ１，ＥＸＶ２に割り当てた風量分だけ局所排気風量Ｖｅｘｖ１，Ｖｅｘｖ２を増加させる（図３ステップＳ５）。本実施の形態では、ヒュームフード１０１−１，１０１−２のサッシ開度に応じて局所排気バルブＥＸＶ１，ＥＸＶ２の局所排気風量Ｖｅｘｖ１，Ｖｅｘｖ２および給気バルブＭＡＶの給気風量Ｖｍａｖは表２のように切り替わる。
【００２７】
【表２】
2015124924.tif 000004
【００２８】
なお、表２では、説明を容易にするためにオフセット風量αを０ｍ3／ｈとしている。２台のヒュームフード１０１−１，１０１−２のサッシ１１１−１，１１１−２が共に全開（開度１００％）のとき、局所排気風量制御部２−１，２−２が決定する局所排気バルブＥＸＶ１，ＥＸＶ２の局所排気風量Ｖｅｘｖ１，Ｖｅｘｖ２は共に１０００ｍ3／ｈであり、これに応じて給気風量制御部３が決定する給気バルブＭＡＶの給気風量Ｖｍａｖは２０００ｍ3／ｈである。したがって、風量バランスは維持されている。従来の風量制御システムでは給気風量Ｖｍａｖが２１００ｍ3／ｈとなるのに対し、本実施の形態では一般排気バルブをなくしたことにより、給気風量Ｖｍａｖを２０００ｍ3／ｈにすることができ、省エネルギーを実現することができる。
【００２９】
また、ヒュームフード１０１−２のサッシ１１１−２のみ全開で、ヒュームフード１０１−１のサッシ１１１−１が全閉（開度０％）のとき、局所排気風量制御部２−１が決定する局所排気バルブＥＸＶ１の局所排気風量Ｖｅｘｖ１は３００ｍ3／ｈであり、局所排気風量制御部２−２が決定する局所排気バルブＥＸＶ２の局所排気風量Ｖｅｘｖ２は１０００ｍ3／ｈである。これに応じて給気風量制御部３が決定する給気バルブＭＡＶの給気風量Ｖｍａｖは１３００ｍ3／ｈである。したがって、風量バランスは維持されている。従来の風量制御システムでは給気風量Ｖｍａｖが１４００ｍ3／ｈとなるのに対し、本実施の形態では一般排気バルブをなくしたことにより、給気風量Ｖｍａｖを１３００ｍ3／ｈにすることができ、省エネルギーを実現することができる。
【００３０】
一方、２台のヒュームフード１０１−１，１０１−２のサッシ１１１−１，１１１−２が共に全閉のとき、局所排気風量制御部２−１，２−２が決定する局所排気バルブＥＸＶ１，ＥＸＶ２の局所排気風量Ｖｅｘｖ１，Ｖｅｘｖ２は表１のようにそれぞれ３００ｍ3／ｈであり、給気風量最小値が１０００ｍ3／ｈなので、排気風量が４００ｍ3／ｈ不足する。そこで、排気風量補償部４は、排気風量の不足分を２台の局所排気バルブＥＸＶ１，ＥＸＶ２に按分し、この按分により局所排気バルブＥＸＶ１，ＥＸＶ２の各々に割り当てた風量２００ｍ3／ｈの分だけ局所排気風量Ｖｅｘｖ１，Ｖｅｘｖ２を増加させる。つまり、表２に示すように、局所排気バルブＥＸＶ１，ＥＸＶ２の局所排気風量Ｖｅｘｖ１，Ｖｅｘｖ２の最終的な値は、局所排気風量制御部２−１，２−２が決定した局所排気風量３００ｍ3／ｈに排気風量補償部４が決定した割当量２００ｍ3／ｈを加えた値５００ｍ3／ｈとなる。こうして、一般排気バルブを設けないことによる排気風量の不足を局所排気風量Ｖｅｘｖ１，Ｖｅｘｖ２の増加で補うことにより、風量バランスを維持することができる。
【００３１】
こうして、例えばユーザからの指示により風量制御が終了するまで（図３ステップＳ６においてＹＥＳ）、ステップＳ１〜Ｓ５の処理が制御周期毎に繰り返し行われる。
以上のように、本実施の形態では、一般排気バルブをなくし、一般排気バルブをなくしたことによる排気風量の不足分を複数台の局所排気バルブに按分するようにしたので、ヒュームフードのサッシが開いているときの給気風量を抑えることができ、省エネルギーを実現することができる。また、本実施の形態では、一般排気バルブおよび一般排気バルブのコントローラの設置コストを削減することができる。
【００３２】
なお、本実施の形態では、排気風量の不足分を２台の局所排気バルブＥＸＶ１，ＥＸＶ２に等分に按分しているが、これに限るものではなく、局所排気風量制御部２−１，２−２が決定した局所排気風量の割合に応じて、排気風量の不足分を２台の局所排気バルブＥＸＶ１，ＥＸＶ２に按分してもよい。例えば局所排気バルブがＥＸＶ１，ＥＸＶ２，ＥＸＶ３の３台設置されているとして、局所排気風量制御部が決定した局所排気バルブＥＸＶ１，ＥＸＶ２，ＥＸＶ３の局所排気風量をＶｅｘｖ１，Ｖｅｘｖ２，Ｖｅｘｖ３とする。この場合、局所排気風量の総量ＶｔｏｔａｌはＶｅｘｖ１＋Ｖｅｘｖ２＋Ｖｅｘｖ３である。したがって、排気風量補償部４は、（Ｖｔｏｔａｌ／Ｖｅｘｖ１）：（Ｖｔｏｔａｌ／Ｖｅｘｖ２）：（Ｖｔｏｔａｌ／Ｖｅｘｖ３）の割合で排気風量の不足分を３台の局所排気バルブＥＸＶ１，ＥＸＶ２，ＥＸＶ３に按分すればよい。
【００３３】
局所排気バルブＥＸＶ１に割り当てる割当量Ｖａ１は、式（２）のようになる。
Ｖａ１＝（Ｖｔｏｔａｌ／Ｖｅｘｖ１）／｛（Ｖｔｏｔａｌ／Ｖｅｘｖ１）
＋（Ｖｔｏｔａｌ／Ｖｅｘｖ２）＋（Ｖｔｏｔａｌ／Ｖｅｘｖ３）｝
・・・（２）
【００３４】
局所排気バルブＥＸＶ２に割り当てる割当量Ｖａ２は、式（３）のようになる。
Ｖａ２＝（Ｖｔｏｔａｌ／Ｖｅｘｖ２）／｛（Ｖｔｏｔａｌ／Ｖｅｘｖ１）
＋（Ｖｔｏｔａｌ／Ｖｅｘｖ２）＋（Ｖｔｏｔａｌ／Ｖｅｘｖ３）｝
・・・（３）
【００３５】
局所排気バルブＥＸＶ３に割り当てる割当量Ｖａ３は、式（４）のようになる。
Ｖａ３＝（Ｖｔｏｔａｌ／Ｖｅｘｖ３）／｛（Ｖｔｏｔａｌ／Ｖｅｘｖ１）
＋（Ｖｔｏｔａｌ／Ｖｅｘｖ２）＋（Ｖｔｏｔａｌ／Ｖｅｘｖ３）｝
・・・（４）
そして、排気風量補償部４は、割当量Ｖａ１，Ｖａ２，Ｖａ３をそれぞれ局所排気風量Ｖｅｘｖ１，Ｖｅｘｖ２，Ｖｅｘｖ３に加算すればよい。
【００３６】
なお、以上の説明では、ヒュームフード１０１−１，１０１−２のサッシ１１１−１，１１１−２が全開の場合と全閉の場合で説明しているが、上記のとおり局所排気風量制御部２−１，２−２はヒュームフード１０１−１，１０１−２のサッシ面の面風速が規定値となるように局所排気風量Ｖｅｘｖ１，Ｖｅｘｖ２を決定するので、サッシ１１１−１，１１１−２が中間開度の場合であっても上記と同様にして制御できることは言うまでもない。
【００３７】
また、本実施の形態の制御によると、サッシ閉時の排気風量が増え、ヒュームフード１０１−１，１０１−２のサッシ面の面風速が大きくなることが想定される。有害物質に曝されないという面では安全方向ではあるが、あまりにも面風速が大きくなると、ヒュームフード内の機材が倒れるなどの問題が生じる。
【００３８】
そこで、ヒュームフード１０１−１，１０１−２のサッシ面の面風速の最大値を面風速最大値記憶部７に予め登録しておく。排気風量補償部４は、局所排気風量制御部２−１が決定した局所排気風量Ｖｅｘｖ１に排気風量補償部４自身が決定した割当量Ｖａ１を加えた合計の局所排気風量Ｖｅｘｖ１＋Ｖａ１が、面風速の最大値によって決まる局所排気風量最大値以下となるように局所排気風量Ｖｅｘｖ１＋Ｖａ１を制限する。同様に、排気風量補償部４は、局所排気風量制御部２−２が決定した局所排気風量Ｖｅｘｖ２に排気風量補償部４自身が決定した割当量Ｖａ２を加えた合計の局所排気風量Ｖｅｘｖ２＋Ｖａ２が、局所排気風量最大値以下となるように局所排気風量Ｖｅｘｖ２＋Ｖａ２を制限する。これにより、ヒュームフード１０１−１，１０１−２のサッシ面の面風速が過剰に大きくなり過ぎないようにすることができる。ただし、このように局所排気風量を制限する場合には、式（１）で説明した風量バランスを完全に満たすことができない場合が有り得る。
【００３９】
本実施の形態で説明したコントローラ１は、ＣＰＵ（Central Processing Unit）、記憶装置およびインタフェースを備えたコンピュータとこれらのハードウェア資源を制御するプログラムによって実現することができる。ＣＰＵは、記憶装置に格納されたプログラムに従って本実施の形態で説明した処理を実行する。
【００４０】
なお、本実施の形態では、１台のコントローラ１で風量制御を行っているが、図２の各構成要素を複数のコントローラに分散させて配置してもよい。この場合、各々のコントローラのＣＰＵは、各々のコントローラの記憶装置に格納されたプログラムに従って本実施の形態で説明した処理を実行する。
また、本実施の形態では、局所排気装置の１つとしてフュームフードを示したが、安全キャビネットなど、フュームフードと同様の役割を果たす装置にも適用可能である。
【産業上の利用可能性】
【００４１】
本発明は、風量制御システムに適用することができる。
【符号の説明】
【００４２】
１…コントローラ、２−１，２−２…局所排気風量制御部、３…給気風量制御部、４…排気風量補償部、５−１，５−２…サッシ開度情報取得部、６…給気風量最小値記憶部、７…面風速最大値記憶部、１００…部屋、１０１−１，１０１−２…ヒュームフード、１０２−１，１０２−２…局所排気ダクト、１０３…給気ダクト、１１１−１，１１１−２…サッシ、１１２−１，１１２−２…人検知センサ、１１３−１，１１３−２…ヒュームフードモニタ、１１４−１，１１４−２…サッシセンサ、ＥＸＶ１，ＥＸＶ２…局所排気バルブ、ＭＡＶ…給気バルブ。
【図１】
2015124924.tif 000005
【図２】
2015124924.tif 000006
【図３】
2015124924.tif 000007
【図４】
2015124924.tif 000008